(57)【要約】      （修正有）【課題】バター等の固形乳製品をふわふわ状態の切削片となるようにスリ下ろすことを可能にした固形乳製品のグレーター装置を提供する。【解決手段】固形乳製品を所定の摺動方向Ｆに摺擦させることにより切削する切削手段５を設けた切削板３と、該切削板３の下側で固形乳製品の切削片を受取る受容器を備えており、前記切削手段５は、前記切削板に点在して開設された多数の小孔１４と、前記子孔を上方から部分的に被うフード１５により構成され、前記フード１５は、前記切削板の上面から前記摺動方向Ｆに対向して延出するドーム壁１６を備え、該ドーム壁の延出端縁に前記小孔１４の上方位置で前記摺動方向Ｆに交差する切削刃１７を形成している。【選択図】図４
0003192821.tif 000002
【実用新案登録請求の範囲】
【請求項１】
固形乳製品(M)を所定の摺動方向(F)に摺擦させることにより切削する切削手段(5)を設けた切削板(3)と、該切削板(3)の下側で固形乳製品の切削片(MP)を受取る受容器(2)を備えており、
前記切削手段(5)は、前記切削板に点在して開設された多数の小孔(14)と、前記子孔を上方から部分的に被うフード(15)により構成され、
前記フード(15)は、前記切削板の上面から前記摺動方向(F)に対向して延出するドーム壁(16)を備え、該ドーム壁の延出端縁に前記小孔(14)の上方位置で前記摺動方向(F)に交差する切削刃(17)を形成して成ることを特徴とする固形乳製品のグレーター装置。
【請求項２】
前記ドーム壁(16)は、前記切削刃(17)から前記摺動方向(F)に向けて次第に高さと幅を減じる球状壁を構成し、該球状壁の内壁面により、固形乳製品の切削片(MP)を下向きに案内するガイド面(20)を形成して成ることを特徴とする請求項１に記載の固形乳製品のグレーター装置。
【考案の詳細な説明】
【技術分野】
【０００１】
本考案は、バター等の固形乳製品をふわふわ状態の切削片となるようにスリ下ろすことを可能にした固形乳製品のグレーター装置に関する。
【背景技術】
【０００２】
従来、一般家庭でバターを食パン等に塗布するための装置や、スライス可能とする装置が提案されているが、バターのスリ下ろしを可能とする装置は提案されていない。
【先行技術文献】
【特許文献】
【０００３】
【特許文献１】実開平７−４０４８５号公報
【特許文献２】特開２００１−２５４４２号公報
【考案の概要】
【考案が解決しようとする課題】
【０００４】
ところで、例えば、食パンをトースターやオーブン等で加熱することにより食用に供する場合、バターナイフで削ぎ取ったバター塊を食パンに塗布した状態で加熱すると、バター塊が均一に溶融し難く、ムラを生じてしまい、良好な食感が得られない。
【０００５】
また、パンにバターを添えて非加熱状態で食用に供する場合、バターナイフを使用するときは、前述のようにバターが塊状態となる問題があり、前記特許文献１のような塗布装置を使用するときは、薄い塗膜となるため、リッチな食感が得られないという問題がある。
【０００６】
本考案者は、バターを切削することにより糸状又はチップ状の切削片を形成し、ふわふわ状態の切削片をパンの上に載せて食すると、極めてリッチで良好な食感が得られ、上記問題を解決することができることを知得した。また、このような切削片は、サラダ等に添加することにより新たな食文化の展開に寄与することができ、更に、食品調理の際にバターを添加する際にも、鍋等の調理器に降りかけることにより、調理を迅速簡単に行うことができることを知得した。従って、一般家庭において、バターに限らず、チーズ等の固形乳製品についても、ふわふわ状の切削片を簡単容易に形成することができる装置を提供することが好ましい。
【課題を解決するための手段】
【０００７】
本考案は、上記課題を解決した固形乳製品のグレーター装置を提供するものであり、その手段として構成したところは、固形乳製品を所定の摺動方向に摺擦させることにより切削する切削手段を設けた切削板と、該切削板の下側で固形乳製品の切削片を受取る受容器を備えており、前記切削手段は、前記切削板に点在して開設された多数の小孔と、前記子孔を上方から部分的に被うフードにより構成され、前記フードは、前記切削板の上面から前記摺動方向に対向して延出するドーム壁を備え、該ドーム壁の延出端縁に前記小孔の上方位置で前記摺動方向に交差する切削刃を形成して成る点にある。
【０００８】
本考案の好ましい実施形態において、前記ドーム壁は、前記切削刃から前記摺動方向に向けて次第に高さと幅を減じる球状壁を構成し、該球状壁の内壁面により、固形乳製品の切削片を下向きに案内するガイド面を形成している。
【考案の効果】
【０００９】
本考案によれば、固形乳製品Ｍから切削片ＭＰを簡単容易に形成することができ、この際、切削片ＭＰは、ふわふわ状態とされているので、従来のバターナイフで削ぎ取った塊片や、スライス片とは異なる独特の食感を提供することが可能となる。
【００１０】
特に本考案によれば、切削板３の上で切削手段５に対して、固形乳製品Ｍを長い距離にわたり摺動方向Ｆに一気に摺擦させれば、長尺の糸状加工片ＭＬを形成することができ、途中で停止させ上述のように移動方向を変えることにより、短尺のチップ状加工片を形成することができるので、ユーザの手先の動かし方を変えることにより、長短異なる長さの切削片ＭＰを自在に形成することが可能であり、受容器２に貯蔵することができるという効果がある。
【図面の簡単な説明】
【００１１】
【図１】本考案の１実施形態に係るグレーター装置を示す斜視図である。
【図２】受容器と切削板と蓋体を分解した状態で示す斜視図である。
【図３】本考案の１実施形態の断面を示しており、（Ａ）はグレーター装置の部分拡大断面図、（Ｂ）はＢ部の拡大断面図である。
【図４】切削板の部分拡大図であり、（Ａ）は切削手段を示す拡大斜視図、（Ｂ）は単位切削部を示す拡大斜視図である。
【図５】本考案の作用を示しており、（Ａ）は固形乳製品をスリ下ろす方法の１例を示す断面図、（Ｂ）（Ｃ）（Ｄ）はスリ下ろし時の作用を順に示す拡大断面図である。
【考案を実施するための形態】
【００１２】
以下図面に基づいて本考案の好ましい実施形態を詳述する。
【００１３】
図１及び図２に示すように、グレーター装置１は、下から順に積層状態で分解・組付自在に組み合わせられる受容器２と、切削板３と、蓋体４により構成されており、それぞれプラスチックにより成形されている。
【００１４】
切削板３は、後述するようにバター等の固形乳製品Ｍを所定の摺動方向Ｆに摺擦させることにより切削する切削手段５を設けた平板部６と、該平板部６の周縁から下向きに延設した周壁７を備える矩形の下向き皿状に形成されている。
【００１５】
受容器２は、前記切削された固形乳製品Ｍの切削片ＭＰを前記切削板３の下側で受取るように底壁８に周壁９を周設したやや深底とされる上部開口状の矩形容器により構成され、プラスチックにより透明又は半透明に形成されることが好ましい。尚、図３（Ａ）に示すように、受容器２の底部周縁にリブ１０を垂設し、弾性素材又は可撓性素材から成る袴モール１１を嵌着することにより周設することが好ましい。
【００１６】
蓋体４は、前記切削板３を上方から被う蓋壁１２と、該蓋壁１２の周縁から下向きに延設した周壁１３を備える矩形の下向き皿状に形成されており、プラスチックにより透明又は半透明に形成されることが好ましい。
【００１７】
これにより、受容器２と、切削板３と、蓋体４は、図１に示すように、下から順に積層状態で組み合わせられる。図３（Ａ）に示すように、積層状態を保持するため、受容器２の周壁９の上縁と切削板３の周壁７の下縁の相互には、嵌合手段１２を設けることが好ましく、切削板３の平板部６の周縁と蓋体４の周壁１３の下端の相互には、嵌合手段１３を設けることが好ましい。
【００１８】
図３（Ｂ）及び図４に示すように、前記切削板３に設けられた切削手段５は、前記平板部６に点在して開設された多数の小孔１４と、各小孔１４を上方から部分的に被うフード１５により構成され、このような１つの小孔１４とフード１５の組み合わせにより１単位とされる単位切削部５Ｕを構成すると共に、図４（Ａ）に示すように、前記摺動方向Ｆに向かうＸ軸と、該Ｘ軸に交差するＹ軸に関して、多数の単位切削部５Ｕが千鳥状に配置され、点在するように形成されている。
【００１９】
図３（Ｂ）及び図４（Ｂ）に示すように、単位切削部５Ｕを構成する前記フード１５は、平板部６から前記摺動方向Ｆに対向して延出するドーム壁１６を備え、該ドーム壁１６の延出端縁に前記小孔１４の上方位置で前記摺動方向Ｆに交差する切削刃１７を形成している。
【００２０】
図示実施形態の場合、小孔１４は、ほぼ水滴状に形成され、摺動方向Ｆに関して、先行する部分を第１孔部１８とし、後行する部分を第２孔部１９としたとき、第２孔部１９の上方をドーム壁１６により被われ、第１孔部１８は、被い物を有せず上下に貫通されている。
【００２１】
前記ドーム壁１６は、前記切削刃１７から前記摺動方向Ｆに向けて次第に高さと幅を減じる球状壁を構成し、該球状壁の内壁面により、固形乳製品の切削片ＭＰを下向きに案内するガイド面２０を形成している。
【００２２】
上記構成のグレーター装置１により固形乳製品Ｍを切削する際は、蓋体１２を除去することにより切削板３の切削手段５を開放し、図５（Ａ）に示すように、切削手段５に対して固形乳製品Ｍを摺動方向Ｆに摺擦させると、固形乳製品Ｍが切削され、下方に落下する切削片ＭＰが受容器２に受取られる。
【００２３】
固形乳製品Ｍを切削板３の平板部６に当接すると、固形乳製品Ｍの底部に切削手段５が食い込み、固形乳製品Ｍの底部が単位切削部５Ｕの切削刃１７に対向する（図５（Ｂ）参照）。
【００２４】
そこで、固形乳製品Ｍを摺動方向Ｆに摺擦すると、切削刃１７により固形乳製品Ｍの底部が部分的に掻き取られ、切削片ＭＰがドーム壁１６の下面に進入させられ、該切削片ＭＰはガイド面２０により下向きに案内される（図５（Ｃ）参照）。
【００２５】
更に、固形乳製品Ｍを摺動方向Ｆに摺擦し続けると、前記切削片ＭＰが成長し、細長い糸状加工片ＭＬとして垂れ下がり、下側の受容器２に受取られる（図５（Ｄ）参照）。
【００２６】
図示省略しているが、固形乳製品Ｍを摺動方向Ｆに所望の距離だけ摺擦することにより前記切削片ＭＰを形成した後、固形乳製品Ｍを摺動方向Ｆと異なる方向（例えば摺動方向Ｆの反対方向）に移動させ、或いは、固形乳製品Ｍを持ち上げ方向に移動させると、形成中の切削片ＭＰが固形乳製品Ｍの底部から分離され、短尺のチップ状加工片として落下し、下側の受容器２に受取られる。
【００２７】
従って、切削板３の上で切削手段５に対して、固形乳製品Ｍを長い距離にわたり摺動方向Ｆに一気に摺擦させれば、長尺の糸状加工片ＭＬを形成することができ、途中で停止させ上述のように移動方向を変えることにより、短尺のチップ状加工片を形成することができるので、ユーザの手先の動かし方を変えることにより、長短異なる長さの切削片ＭＰを自在に形成することが可能であり、受容器２に貯蔵することができる。
【００２８】
受容器２に貯蔵された切削片ＭＰの食用方法は、パンに添えたり、調理食品に添加したり、その他、任意であるが、切削片ＭＰは、ふわふわ状態とされているので、従来のバターナイフで削ぎ取った塊片や、スライス片とは異なる独特の食感を提供することが可能となる。
【００２９】
また、受容器２に貯蔵された切削片ＭＰは、上述のように受容器２に積層された切削板３の上に更に蓋体１２を積層することにより、密閉状態で冷蔵庫等に保管することが可能である。
【符号の説明】
【００３０】
Ｍ  固形乳製品
ＭＰ  切削片
１  グレーター装置
２  受容器
３  切削板
４  蓋体
５  切削手段
５Ｕ  単位切削部
６  平板部
７  周壁
８  底壁
９  周壁
１０  リブ
１１  袴モール
１２、１３  嵌合手段
１４  小孔
１５  フード
１６  ドーム壁
１７  切削刃
１８  第１孔部
１９  第２孔部
２０  ガイド面
【図１】
0003192821.tif 000003
【図２】
0003192821.tif 000004
【図３】
0003192821.tif 000005
【図４】
0003192821.tif 000006
【図５】
0003192821.tif 000007